(57)【要約】【課題】利便性及び電気の節約が可能な手摺り１の提供。【解決手段】この手摺り１は、手で握るための本体２と、本体２を設置対象物５０に固定するための支持部材３と、この支持部材３に取り付けられた発光体と、移動物を検知する人感センサ１４と、それ以上の照度では人感センサ１４の機能を停止せしめる照度の閾値が設定された照度センサ１５とを備えており、上記人感センサ１４が移動対象を検知することにより、発光体が発光するように構成されており、発光体が、支持部材３の外方へ光を放射しうるように構成されている。【選択図】図２
2013092038.tif 000002
【特許請求の範囲】
【請求項１】
手で握るための本体部分と、
この本体部分を設置対象物に固定するための支持部材と、
この支持部材に取り付けられた発光体と、
移動対象を検知する人感センサとを備えており、
この人感センサが移動対象を検知することにより、上記発光体が発光するように構成されており、
上記人感センサが、定められた照度以上の環境下では動作しないようにされており、
上記発光体が、支持部材の外方へ光を放射しうるように構成されている、手摺り。
【請求項２】
上記人感センサに、それ以上の照度では人感センサの機能を停止せしめる照度の閾値が設定された照度センサが並設されている、請求項１に記載の手摺り。
【請求項３】
上記支持部材が透孔性材料から構成されている、請求項１又は２に記載の手摺り。
【請求項４】
上記本体部分が、その長手方向に複数個に分割されており、
分割された本体部分同士を接続し、且つ、設置対象物に固定するための中間支持部材と、
この中間支持部材に取り付けられた発光体とをさらに備えており、
この発光体は、上記人感センサが移動対象を検知することにより発光する、請求項１から３のいずれかに記載の手摺り。
【発明の詳細な説明】
【技術分野】
【０００１】
本発明は、階段、廊下、化粧室等に設置されうる手摺りに関する。
【背景技術】
【０００２】
従来、屋内、屋外を問わず、階段、廊下、化粧室等には、通行者や利用者が身体を安全に支えるために、手摺りが設置されていることが多い。夜間等においては、その階段、廊下等に設置された照明具を点灯しなければ、利用者はその手摺りの所在位置を視認することが難しい場合がある。しかし、照明具を点灯するためのスイッチの所在位置を視認することも難しい場合がある。
【０００３】
上記問題を解消するために、手摺り自体に照明具を設置することも考えられる。しかし、夜間等の暗い時間帯には照明具を継続して点灯させていなければ上記と同様の問題が生じる。
【発明の概要】
【発明が解決しようとする課題】
【０００４】
本発明は、上記した現状に鑑みてなされたものであり、夜間等の暗い環境であっても、必要なときに所在位置の視認が容易になる照明付きの手摺りを提供することを目的としている。
【課題を解決するための手段】
【０００５】
本発明に係る手摺りは、
手で握るための本体部分と、
この本体部分を設置対象物に固定するための支持部材と、
この支持部材に取り付けられた発光体と、
移動対象を検知する人感センサとを備えており、
この人感センサが移動対象を検知することにより、上記発光体が発光するように構成されており、
上記人感センサが、定められた照度以上の環境下では動作しないようにされており、
上記発光体が、支持部材の外方へ光を放射しうるように構成されている、手摺り。
【０００６】
かかる手摺りでは、上記人感センサの作用により、夜間等の暗い環境下でのみ、使用者が近づくことによって視認しうる照明がなされる。
【０００７】
好ましくは、上記人感センサに、それ以上の照度では人感センサの機能を停止せしめる照度の閾値が設定された照度センサが並設されている。
【０００８】
好ましくは、上記支持部材が透孔性材料から構成されている。
【０００９】
好ましくは、上記本体部分が、その長手方向に複数個に分割されており、
分割された本体部分同士を接続し、且つ、設置対象物に固定するための中間支持部材と、
この中間支持部材に取り付けられた発光体とをさらに備えており、
この発光体は、上記人感センサが移動対象を検知することにより発光する。
【発明の効果】
【００１０】
本発明に係る手摺りよれば、夜間等の暗い環境下でのみ、使用者が近づくことによって視認しうる照明がなされる。従って、この手摺りは、使用者の安全、利便性等に寄与しうるほか、電気の節約が期待できる。
【図面の簡単な説明】
【００１１】
【図１】図１は、本発明の一実施形態に係る手摺りを示す、一部切り欠き斜視図である。
【図２】図２は、図１の手摺りにおける本体の両端のうちの一方に接続される支持部材を示す縦断面図である。
【図３】図３は、本発明の他の実施形態に係る手摺りを示す、一部切り欠き斜視図である。
【図４】図４は、図３の手摺りにおける本体の両端のうちの一方に接続される端部支持部材、及び、本体の中間部に接続され中間支持部材を示す縦断面図である。
【発明を実施するための最良の形態】
【００１２】
以下、適宜図面が参照されつつ、好ましい実施形態に基づいて本発明が詳細に説明される。
【００１３】
図１に示された手摺り１は、一本の本体２と、一対の支持部材３とを備えている。本体２は使用者が手で握るための部材である。支持部材３は、本体２を壁面等の設置対象物５０に固定するための部材である。本実施形態では、本体２と支持部材３とは、互いに別部材として構成されている。しかし、本体２と支持部材３とが一体に形成されてもよい。
【００１４】
本体２は、本実施形態では円筒状に形成されているが、かかる構造には限定されない。中実の棒状であってもよく、角柱であっても角筒であってもよい。本体２は、直線上ではなく湾曲していてもよい。本体２は、アルミ合金、ステンレス鋼等の金属から形成されてもよく、合成樹脂製でもよく、木製等でもよい。支持部材３はブラケットとも呼ばれる。本実施形態では、支持部材３は概ねＪ字状を呈している。しかし、かかる形状には限定されない。例えば、Ｌ字状、Ｔ字状等であってもよい。後述する図３及び図４に示される手摺り２１では、その本体２の中間部分に取り付けられる中間支持部材２３は略Ｔ字状である。支持部材３の一端には本体２が接続され、他端は壁面等５０に固定される。支持部材３の一端である本体２取付側を先端と呼び、他端である壁面５０固定側を基端とも呼ぶ。本実施形態では、支持部材３はアルミ合金から形成されているが、かかる材料には限定されない。合成樹脂製でもよく、ステンレス鋼製等であってもよい。
【００１５】
支持部材３は、本体２の両端部に対して接続及び分離が可能にされている。後述する図３及び図４に示される手摺り２１では、その本体２の中間部分に、他の中間支持部材２３が接続分離可能に取り付けられる。支持部材３の先端部には、円形横断面を有する接続穴６が形成されている。この接続穴６には、本体２の一端部が挿入されて接続される。本体２の端面と、接続穴６の底部６ａとは、複数個のネジによって着脱可能に接続される。本体２の端面には、図示しないねじ孔が周方向に複数個形成されている。接続穴６の底部６ａには、図示しない貫通孔が周方向に複数個形成されている。ねじ孔の位置と貫通孔の位置とは対応している。
【００１６】
一対の支持部材３は、互いに同一の形状及び構造を有している。本発明では、異なる形状及び構造を有していてもよい。支持部材３は、容器部７と、容器部７の開口を開閉する蓋８とを有している。容器部７の開口の周囲、又は、これに対応する蓋８の周囲に、シール部材（図示せず）が装着されているのが好ましい。このシール部材は、容器部７の内部を外界から液密にシールする。容器部７の底部には、設置対象物５０にネジ止めするための貫通孔９が形成されている。一対のうちの一方の支持部材３には、発光装置１０が内蔵されている。発光装置１０は、光を外方へ放射するための装置である。発光装置１０は、電池１１、制御基板１２、発光体たるＬＥＤ（発光ダイオード）１３、人感センサ１４及び照度センサ１５を含んでいる。電池１１、ＬＥＤ１３、人感センサ１４及び照度センサ１５は、電気コード１６により、制御基板１２を介して電気的に接続されている。
【００１７】
図２では、上記電池１１及び制御基板１２は容器部７内に配置された状態が示されている。しかし、電池１１及び制御基板１２は、蓋８に取り付けられてもよい。電池１１は着脱可能である。ＬＥＤ１３は蓋８に取り付けられている。具体的には、複数個のＬＥＤ１３が、長尺の支持板５上に間隔をおいて整列して取り付けられており、この支持板５が蓋８に取り付けられている。蓋８のＪ字形状の外側湾曲部には、その長手方向に沿ってスリット状の窓１７が形成されている。この窓１７の形成範囲は、上記ＬＥＤ１３の支持板５の形状に概ね対応している。窓１７が支持部材３の外形に沿って湾曲しているので、ＬＥＤ１３の支持板５も同様に湾曲させられている。この窓１７には、透光板１８が取り付けられている。透光板は透明でも半透明でもよい。窓１７と透光板１８の外周との間は、液密にシールされるのが好ましい。窓１７及び透光板１８の形成位置は、蓋８のＪ字形状の外側湾曲部には限定されない。支持部材３の側部でもよく、内側湾曲部でもよい。
【００１８】
本実施形態では、複数個のＬＥＤ１３が支持板５に取り付けられているが、かかる構成には限定されない。例えば、アクリル樹脂、ポリエステル等の透光性材料から棒状に形成された透光体（図示せず）と、一個のＬＥＤとの組み合わも採用されうる。この透光体が上記窓１７に沿わせて取り付けられ、透光体の一端に近接又は当接してＬＥＤが取り付けられてもよい。この状態でＬＥＤが発光すれば、光は上記透光体の内部を、外周面に対して反射及び透過しながら長手方向に進行する。外周面を透過する光により、窓１７から外方が照明される。
【００１９】
ＬＥＤ１３が発光すると、光は透光板１８を透過して外方へ放射される。この光により、手摺り１及びその近傍が照明される。この手摺り１が、その長手方向を上下方向に向けて取り付けられ、発光装置１０を内蔵した支持部材３が上方に位置した場合を考える。このとき、取付対象の壁面５０から見て、窓１７は、水平方向前方から上方に渡って対向している。従って、光は広角な範囲に放射される。発光装置１０を内蔵した支持部材３が下方に位置した場合、光は水平方向前方から下方に渡って広角な範囲に放射される。使用者の足下も照明される。一対の支持部材３の両方ともに発光装置１０が内蔵されてもよい。また、発光装置１０は一方の支持部材３にのみ内蔵され、ＬＥＤ１３が両方の支持装置３に内蔵されていてもよい。この場合、一つの発光装置１０により、両端の支持装置３のＬＥＤ１３が点灯及び消灯する。
【００２０】
人感センサ１４及び照度センサ１５は蓋８に取り付けられている。人感センサ１４は、支持部材３の上記窓１７より先端側に取り付けられており、照度センサ１５は窓１７より基端側に取り付けられている。しかし、かかる位置には限定されない。人感センサ１４及び照度センサ１５は、いずれも、蓋８に形成された貫通孔から、その検出部１４ａ、１５ａを外方へ露出している。この貫通孔と検出部１４ａ、１５ａの外周との間は、液密にシールされるのが好ましい。電池１１は、各種乾電池又は充電池でもよい。又は、電池に代えて、交流電源及びコンバータに接続する電線を備えていてもよい。しかし、電池の採用は、落雷等に起因する停電時にも発光装置１０が発光効果を発揮するので好ましい。
【００２１】
人感センサ１４は、赤外線センサ等により、動く物体を検知したときに検知信号を発する。本実施形態では、この人感センサ１４からの検知信号に基づき、制御基板１２から発信されたＬＥＤ点灯指令信号がＬＥＤ１３を発光させる。制御基板１２にはタイマー機能が付与されている。このタイマー機能により、ＬＥＤ１３は、発光した時点から、設定された所定の時間経過後に発光が停止される。
【００２２】
人感センサ１４に対しては照度センサ１５が協働する。照度センサ１５は、周囲環境の照度を検知する。照度センサ１５には閾値が設定されており、検知された照度がこの閾値の上か下で、照度センサ１５の所定の作動が起こる。本実施形態では、照度センサ１５の検知照度に基づいて、人感センサ１４の機能の停止及び発揮がなされる。照度センサ１５が閾値未満の照度を検知しているとき（暗いとき）、人感センサ１４に対して停止信号は送られない。人感センサ１４は通常の動作可能の状態となる。従って、人感センサ１４が人の動きを検知すれば、ＬＥＤ１３が発光して照明される。照度センサ１５が閾値以上の照度を検出しているとき（明るいとき）、人感センサ１４に対して停止信号が送られる。これにより、人感センサ１４は動作不能の状態となる。
【００２３】
以上の如く、人感センサ１４と照度センサ１５との協働により、照明が必要とされる環境下においてのみ手摺り１及びその近傍が照明される。この手摺り１では、使用者にとっての安全性及び利便性が得られ、電気の節約も可能である。
【００２４】
図３及び図４には、他の手摺り２１が示されている。この手摺り２１では、本体２が長手方向に二分割されている。この手摺り２１は、二本の本体２同士を接続する中間支持部材２３を有している。以降、この手摺り２１の両端の支持部材３を端部支持部材３とも言う。一対の端部支持部材３のいずれにも、照明用のＬＥＤ１３が取り付けられている。両端部支持部材３の接続穴６のいずれにも、その底部６ａに貫通孔１９が形成されている。この貫通孔１９には、ＬＥＤ１３、３３に接続された電気コード１６が挿通される。上記以外の構成は、図１及び図２に示された手摺り１の構成と同じである。例えば、発光装置１０は、一方の端部支持部材３に内蔵されている。図１及び図２の手摺り１の構成部品と同じ構成部品には、同じ符号を付記することにより、その説明を省略する。
【００２５】
本発明では、本体２が二分割された構成には限定されない。本体２は三分割以上されたものであってもよい。本体２がｎ分割されている場合、その手摺りには、一対の端部支持部材３とｎ−１個の中間支持部材２３とが取り付けられる。
【００２６】
図３及び図４に示されるように、中間支持部材２３は、脚部２４と、この脚部２４の上部（先端）に形成された容器部２７と、容器部２７の左右両端に形成された接続穴２６と、脚部２４の下部（基端）に形成された取付板部２５と、容器部２７の開口を開閉する蓋２８とを有している。図４では、蓋２８の図示が省略されている。上記接続穴２６には、図２に示される接続穴６と同じく、本体２の一端部が挿入される。そして、止めネジ等により、本体２が中間支持部材２３に接続される。接続穴２６には、本体２の横断面形状に応じて、種々の横断面形状が採用されうる。接続穴２６の底部２６ａには、上記電気コード１６が挿通される貫通孔３９が形成されている。この貫通孔３９と電気コード１６の外周との間は液密にシールされるのが好ましい。
【００２７】
上記取付板部２５は、壁等の設置対象物５０の面に取り付けられる部分である。この取付板部２５には、設置対象物５０にネジ止めするための貫通孔２９が形成されている。
【００２８】
本実施形態では、中間支持部材２３の容器部２７の内部にも、照明用のＬＥＤ３３が収容されている。容器部２７の蓋２８には、窓３７が形成されている。本実施形態では、この窓３７は、設置対象物５０に対向する位置から１８０°の方向を向いている。すなわち、窓３７は外方を向いている。しかし、窓３７の形成位置は、上記位置には限定されない。この窓３７には、ＬＥＤ３３の光を透過する透光板３８が取り付けられている。透光板３８は透明でも半透明でもよい。窓３７と透光板３８の外周との間は、液密にシールされるのが好ましい。
【００２９】
本実施形態では、中間支持部材２３のＬＥＤ３３は、その蓋２８に取り付けられている。しかし、かかる構成には限定されない。ＬＥＤ３３は、容器部２７の内部、例えば、容器部２７の床面に固定されてもよい。上記端部支持部材３の接続穴６の貫通孔１９から出た電気コード１６は、本体２の内部空洞を通って、中間支持部材２３に至っている。この電気コード１６は、上記貫通孔３９を通って容器部２７の内部に至り、ＬＥＤ３３に接続されている。この電気コード１６は、他方の貫通孔３９及び他方の本体２の内部空洞を通り、他方の端部支持部材３へ至っている。そして、この電気コード１６は、他方の端部支持部材３の図示しないＬＥＤに接続されている。
【００３０】
発光装置１０は、一方の端部支持部材３にのみ内蔵されている。しかし、かかる構成には限定されない。例えば、発光装置１０は、中間支持部材２３の少なくとも一つに内蔵されてもよい。この場合、必要に応じて、脚部２４にも、発光装置１０を収容するための図示しない空間が設けられるのが好ましい。この空間は、上記容器部２７の内部と連通されたものであってもよい。
【００３１】
人感センサ１４及び照度センサ１５は、必要に応じて取り付け位置を変更してもよい。すなわち、人感センサ１４及び照度センサ１５の少なくとも一方を、中間支持部材２３に取り付けてもよく、端部支持部材３に取り付けてもよい。照度センサ１５は、中間支持部材２３における、設置対象物５０の面に対向する位置に取り付けてもよい。
【００３２】
これらの手摺り１、２１は、その長手方向を上下方向に向けて取り付けられてもよい。このとき、発光装置１０を内蔵した端部支持部材３が上方に位置するようにしてもよく、下方に位置するようにしてもよい。この端部支持部材３が上方に位置した場合では、照度センサ１５の検出部１５ａは上方を向く。この端部支持部材３が下方に位置した場合では、照度センサ１５の検出部１５ａは下方を向く。いずれの場合でも人感センサ１４の検出部１４ａは前方（壁面５０と反対の方向）を向く。このように、人感センサ１４は、その機能を発揮するための最善の方向を向くことになる。また、発光装置１０を内蔵した端部支持部材３が下方に位置した場合、前述したように、光は使用者の足下をも照明する。手摺り１、２１を、廊下等の壁面に水平方向に横倒し姿勢で取り付けたときは、人感センサ１４は図１に示す位置に取り付ければよい。階段において、手摺り１、２１が傾斜して取り付けられる場合も同様である。
【００３３】
図１の手摺り１では、上記のとおり、端部支持部材３に発光装置１０が内蔵される。この発光装置１０により、端部支持部材３から光が放射される。従って、手摺り１の設置時に、本体２は、その長さを調節するために切断されても問題はない。
【００３４】
図２の手摺り２１では、連続した長尺の手摺りが構成されうる。例えば、長い廊下、長い階段等に対しても、一個以上の中間支持部材２３を備えた一本の手摺りで対応しうる。この長尺の手摺り２１において、例えば、適宜間隔を置いた中間支持部材２３にも、それぞれ発光装置１０を備えることができる。この場合、電気コード１６は、発光装置１０を備えた中間支持部材２３において分断される。この手摺り２１によれば、発光装置１０を備えた中間支持部材２３によって区分された異なる範囲について、それぞれ独立して人感センサ１４及び／又は照度センサ１５を作動させることができる。
【００３５】
以上説明された実施形態では、光は支持部材３、２３の窓１７、３７の透光板１８、３８からのみ外方へ放射される。しかし、かかる構成には限定されない。例えば、支持部材３、２３自体が、アクリル樹脂、ポリエステル等の透光性を有する材料（半透明が好ましい）から形成されてもよい。かかる手摺りでは、半透明の支持部材３、２３の全体から柔らかい光が放射されるので、視認が一層容易となりうる。この場合、ＬＥＤと透光体との組み合わせが発光体となる。
【産業上の利用可能性】
【００３６】
本発明に係る手摺りは、屋内の階段、廊下、洗面所、トイレ等に限らず、屋外の手摺りを必要とされる場所にも同様に適用可能である。
【符号の説明】
【００３７】
１、２１・・・手摺り
２・・・本体
３・・・支持部材
５・・・支持板
６、２６・・・接続穴
７、２７・・・容器部
８、２８・・・蓋
９、２９・・・貫通孔
１０・・・発光装置
１１・・・電池
１２・・・制御基板
１３、３３・・・ＬＥＤ
１４・・・人感センサ
１５・・・照度センサ
１６・・・電気コード
１７・・・窓
１８、３８・・・透光板
１９、３９・・・貫通孔
２３・・・中間支持部材
２４・・・脚部
２５・・・取付板部
５０・・・設置対象物
【図１】
2013092038.tif 000003
【図２】
2013092038.tif 000004
【図３】
2013092038.tif 000005
【図４】
2013092038.tif 000006